(57)【要約】【課題】既存の設備を用いて注出栓を容易に打栓できるとともに、オーバーキャップを用いた不使用時の密封性を長期に渡って維持できる、新規なオーバーキャップ付き注出容器を提供する。【解決手段】胴部1bに繋がる頸筒部1dよりも小径の口筒部1eを通して内容物が充填される容器本体1と、口筒部1eに着脱可能に固定される周壁部2aを有して注出口A2を通して内容物を注出させる注出栓2と、頸筒部1dに固定される周壁部3aを有して天壁部3bとの間に注出栓2の収納空間を形成するオーバーキャップ3とを備える。口筒部1eと注出栓2の周壁部2aとにそれぞれ、互いに取り外し可能に螺合する多条ねじ部S1,S2を設ける一方、頸筒部1dと周壁部3aとにそれぞれ、互いに取り外し可能に螺合するねじ部S3,S4を設けるとともに、互いに接触してオーバーキャップ3の締め付けを制限する締め付け制限手段1p2,3dを設けた。【選択図】図９
2014055018.tif 000002
【特許請求の範囲】
【請求項１】
胴部に繋がる頸筒部を有して当該頸筒部よりも小径の口筒部を通して内容物が充填される容器本体と、容器本体の口筒部に着脱可能に固定される周壁部を有して隔壁部に形成された注出口を通して内容物を注出させる注出栓と、容器本体の頸筒部に固定される周壁部を有して天壁部との間に注出栓の収納空間を形成するオーバーキャップとを備えるオーバーキャップ付き注出容器であって、
容器本体の口筒部と注出栓の周壁部とにそれぞれ、互いに取り外し可能に螺合する多条ねじ部を設ける一方、
容器本体の頸筒部とオーバーキャップの周壁部とにそれぞれ、互いに取り外し可能に螺合するねじ部を設けるとともに、互いに接触してオーバーキャップの締め付けを制限する締め付け制限手段を設けた、オーバーキャップ付き注出容器。
【請求項２】
請求項１において、多条ねじ部は、注出栓側の条数が容器本体側の条数より多く構成されている、オーバーキャップ付き注出容器。
【請求項３】
請求項１又は２において、オーバーキャップの天壁部に、注出栓の隔壁部に接触してオーバーキャップの締め付けを制限する締め付け制限手段を設けた、オーバーキャップ付き注出容器。
【請求項４】
請求項１乃至３のいずれか１項において、容器本体の口筒部と注出栓の周壁部とにそれぞれ、多条ねじ部よりも頸筒部側の位置で、互いに取り外し可能に嵌合して注出栓の緩みを防止する緩み防止手段を設けた、オーバーキャップ付き注出容器。
【発明の詳細な説明】
【技術分野】
【０００１】
本発明は、例えば、容器本体に対して注出栓を着脱可能とすることにより、化粧液等の内容物を詰め替え可能な注出容器であって、その注出口をオーバーキャップによって密封可能なオーバーキャップ付き注出容器に関するものである。
【背景技術】
【０００２】
詰め替え可能な従来のオーバーキャップ付き注出容器は、容器本体の口筒部に設けた環状の係止突起に、注出栓に設けた環状の係止突起を嵌合させることで、注出栓を容器本体に対して固定する一方、オーバーキャップを口筒部よりも大径の頸筒部に対して取り外し可能に螺合させ、更に、使用後に詰め替えるときには、注出栓を口筒部周りに回転させることにより、注出栓に設けた略三角形状の係合突部を容器本体の口筒部に設けた略三角形状の係合突部に乗り上げさせることで、注出栓を容器本体に対して取り外せるものがある（例えば、特許文献１参照）。
【先行技術文献】
【特許文献】
【０００３】
【特許文献１】特開２００１−１５８４５６号公報
【発明の概要】
【発明が解決しようとする課題】
【０００４】
しかしながら、従来の注出容器は、容器本体の口筒部に設けた環状の係止突起に、注出栓に設けた環状の係止突起を嵌合させるため、注出栓を打栓するときに、当該注出栓を容器本体の口筒部に対して適正な位置に仮セットしておかないと、うまく打栓が行われない場合がある。
【０００５】
その一方で、生産ラインに打栓の設備しかない場合、設備の変更は煩雑であり、生産コストの上昇を招くため、既存の設備を流用できることが好ましい。
【０００６】
また、不使用時には、オーバーキャップを用いて注出口を密封しておく必要があることから、例えば、同文献に記載のように、オーバーキャップの裏面に配置したシール部材等によって、その注出口が、オーバーキャップの締め込み量に応じた力で密封されている。しかしながら、オーバーキャップの締め込みが際限なく可能になってしまうと、シール部材が必要以上に締め付けられることによって、当該シール部材等の劣化が早まることから、密封性に改善の余地がある。
【０００７】
本発明の目的とするところは、既存の設備を用いて注出栓を容易に打栓することができるとともに、オーバーキャップを用いた不使用時の密封性を長期に渡って維持することができる、新規なオーバーキャップ付き注出容器を提供することにある。
【課題を解決するための手段】
【０００８】
本発明のオーバーキャップ付き注出容器は、胴部に繋がる頸筒部を有して当該頸筒部よりも小径の口筒部を通して内容物が充填される容器本体と、容器本体の口筒部に着脱可能に固定される周壁部を有して隔壁部に形成された注出口を通して内容物を注出させる注出栓と、容器本体の頸筒部に固定される周壁部を有して天壁部との間に注出栓の収納空間を形成するオーバーキャップとを備えるオーバーキャップ付き注出容器であって、容器本体の口筒部と注出栓の周壁部とにそれぞれ、互いに取り外し可能に螺合する多条ねじ部を設ける一方、容器本体の頸筒部とオーバーキャップの周壁部とにそれぞれ、互いに取り外し可能に螺合するねじ部を設けるとともに、互いに接触してオーバーキャップの締め付けを制限する締め付け制限手段を設けたものである。
【０００９】
本発明では、多条ねじ部は、注出栓側の条数が容器本体側の条数より多く構成されていることが好ましい。
【００１０】
また、本発明では、オーバーキャップの天壁部にも、注出栓の隔壁部に接触してオーバーキャップの締め付けを制限する締め付け制限手段を設けることができる。締め付け制限手段は、例えば、天壁部から垂下して注出栓の隔壁部に接触する筒壁部で構成することができる。
【００１１】
更に、本発明では、容器本体の口筒部と注出栓の周壁部とにそれぞれ、多条ねじ部よりも頸筒部側の位置で、互いに取り外し可能に嵌合して注出栓の緩みを防止する緩み防止手段を設けることが好ましい。緩み防止手段は、例えば、口筒部の外周に設けられた突起と、この環状突起に取り外し可能に嵌合する注出栓の周壁部の内周に設けられた突起とで構成することができる。
【発明の効果】
【００１２】
本発明では、容器本体の口筒部と注出栓の周壁部とにそれぞれ、互いに取り外し可能に螺合する多条ねじ部を設けたことで、注出栓を容器本体の口筒部周りの、どの位置からでも仮セットできるとともに、そのまま注出栓を打栓するだけで容器本体の口筒部に螺合させることができる。即ち、容器本体の口筒部と注出栓の周壁部とにそれぞれ、互いに取り外し可能に螺合する多条ねじ部を設けたことで、既存の設備を用いて容易に注出栓を打栓することができる。
【００１３】
また、本発明では、容器本体の頸筒部とオーバーキャップの周壁部とにそれぞれ、互いに取り外し可能に螺合するねじ部を設けるとともに、互いに接触してオーバーキャップの締め付けを制限する締め付け制限手段を設けたことで、オーバーキャップの締め込み量が抑えられる。このため、注出口やそのシール部材が必要以上に締め付けられることがないから、当該シール部材等の劣化を抑えることで、オーバーキャップを用いた不使用時の密封性を長期に渡って維持することができる。
【００１４】
従って、本発明によれば、既存の設備を用いて注出栓を容易に打栓することができるとともに、オーバーキャップを用いた不使用時の密封性を長期に渡って維持することができる。
【図面の簡単な説明】
【００１５】
【図１】本発明の一形態である、オーバーキャップ付き化粧水容器を、その長幅面側から示す側面図である。
【図２】同形態に係る、オーバーキャップを取り外した化粧水容器を、その長幅面側から示す側面図である。
【図３】同形態に係る、容器本体を、その長幅面側から示す側面図である。
【図４】同形態に係る、容器本体を、その短幅面側から示す側面図である。
【図５】同形態に係る、容器本体を上方から示す平面図である。
【図６】(a)は同形態に係る、注出栓を一部断面で示す側面図であり、(b)は、(a)をＹ方向から示す矢視図である。
【図７】図１の要部を示す半断面図である。
【図８】同形態に係る、オーバーキャップを容器本体螺合側から示す底面図である。
【図９】図１の要部をＸ−Ｘ方向から示す半断面図である。
【発明を実施するための形態】
【００１６】
以下、図面を参照して、本発明の一形態である、オーバーキャップ付き化粧水容器を詳細に説明する。
【００１７】
図１は、本発明の一形態である、オーバーキャップ付き化粧水容器である。また、図２は、図１の化粧水容器からオーバーキャップを取り外した状態を示す。
【００１８】
図中、符号１は、内容物たる化粧水が充填される容器本体である。容器本体１は、図３に示すように、底部１ａによって自立可能なボトル型容器である。容器本体１は、底部１ａからヒール部を介して胴部１ｂが起立する。胴部１ｂは、同図に示すように、その横幅が長い幅の長幅面側と、図４に示すように、その横幅が短い幅の短幅面側とからなり、図５に示すように、楕円形状を構成する。
【００１９】
また容器本体１は、図５に示すように、胴部１ｂに肩部１ｃを介して繋がる頸筒部１ｄを有して、この頸筒部１ｄよりも小径の口筒部１ｅの内側には、容器本体１内に通じる開口部Ａ1が形成されている。これにより、容器本体１は、開口部Ａ1を通して、化粧水が充填される。
【００２０】
口筒部１ｅには、図５に示すように、４条のねじ部Ｓ1が設けられている。ねじ部Ｓ1はそれぞれ、図３，４に示すように、ボトル軸線Ｏに対して斜めに傾斜し、互いにボトル軸線Ｏ周りに間隔ｃ1を置いて配置されている。
【００２１】
また、口筒部１ｅは、頸筒部１ｄとの間に、ボトル軸線Ｏ周りを周回する段部１ｒ1（１ｅ）を有する。段部１ｒ1には、突起１ｐ1が設けられている。突起１ｐ1は、ボトル軸線Ｏ周りを周回する環状突起としてなる。
【００２２】
一方、図６(a)は、容器本体１内の化粧水を外界に注出させるための注出栓２である。注出栓２は、容器本体１の口筒部１ｅを取り囲む周壁部２ａを有して、この周壁部２ａの上端には、容器本体１の開口部Ａ1を閉じる隔壁部２ｂが一体に設けられている。隔壁部２ｂには、注出筒２ｃが一体に設けられている。容器本体１内の化粧水は、注出筒２ｃの内側に形成された注出口Ａ2を通して外界に注出させることができる。
【００２３】
周壁部２ａの内周には、複数条のねじ部Ｓ2が設けられている（図６には、例示的に１箇所のみ記載。）。ねじ部Ｓ2はそれぞれ、図６(a)に示すように、ボトル軸線Ｏに対して斜めに傾斜する。また、ねじ部Ｓ2はそれぞれ、図６(b)に示すように、互いにボトル軸線Ｏ周りに、各ねじ部Ｓ2の終端が重なり合うように配置されている。本形態では、ねじ部Ｓ2は、図６(b)に示すように、１２条で構成されている。
【００２４】
本形態では、容器本体１の口筒部１ｅと注出栓２の周壁部２ａとにそれぞれ、互いに取り外し可能に螺合する多条ねじ部Ｓ1,Ｓ2を設けたことで、ねじ部Ｓ1,Ｓ2の始端がそれぞれ、図５及び図６(b)に示すように、容器本体１の口筒部１ｅ周り及び注出栓２の周壁部２ａ周りに複数配置されるため、注出栓２を口筒部１ｅ周りの、どの位置からでも注出栓２を載せ置いただけで仮セットできる。また、多条ねじ部Ｓ1,Ｓ2としたことで、リードはピッチの条数倍となるため、そのまま注出栓２を打栓するだけで、図７に示すように、口筒部１ｅに螺合させることができる。即ち、容器本体１の口筒部１ｅと注出栓２の周壁部２ａとにそれぞれ、互いに取り外し可能に螺合する多条ねじ部Ｓ1，Ｓ2を設けたことで、既存の設備を用いて容易に注出栓２を打栓することができる。
【００２５】
なお、隔壁部２ｂには、内筒部２ｄが一体に垂下する。このため、注出栓２を、打栓又は、ボトル軸線Ｏ周りに時計回り又は反時計回りに回転させれば、図７に示すように、口筒部１ｅの内周面を内筒部２ｄで密封保持しつつ、注出栓２を螺合させることができる。また、周壁部２ａと内筒部２ｄとの間には、隔壁部２ｂから一体に垂下する環状凸部２ｅが設けられている。環状凸部２ｅは、注出栓２を打栓又はねじ込んで口筒部１ｅの上端を押圧することで、口筒部１ｅの上端との間を全周に亘って密封する。
【００２６】
本発明によれば、多条ねじ部Ｓ1、Ｓ2は、容器本体１側の条数と注出栓２側の条数とを同数に構成することも可能であるが、本形態のように、注出栓２側の条数を容器本体１側の条数より多く構成すれば、より容易に打栓することができる。但し、ねじ部Ｓ1、Ｓ2の条数は、口筒部１ｅの口径等に応じて、適宜、変更・選択することができる。
【００２７】
更に、本形態では、注出栓２は、その周壁部２ａの下端内周に突起２ｐが設けられている。突起２ｐは、図６に示すように、ボトル軸線Ｏ周りを周回する環状突起としてなる。突起２ｐは、口筒部１ｅに対して注出栓２を、打栓又は、ねじ込むとき、図７に示すように、口筒部１ｅの突起１ｐ1を乗り越えることで、互いに取り外し可能に嵌合する。
【００２８】
突起１ｐ1及び突起２ｐはそれぞれ、互いに取り外し可能に嵌合して注出栓２の緩みを防止する緩み防止手段を構成する。このように緩み防止手段を設ければ、注出栓２を容易に取り外せなくできる。なお、本発明に従えば、突起１ｐ1又は突起２ｐは、環状突起として設けることなく、ボトル軸線Ｏ周りに間欠して設けることもできる。
【００２９】
オーバーキャップ３は、頸筒部１ｄを取り囲む周壁部３ａを有して、この周壁部３ａの上端には天壁部３ｂが一体に設けられている。天壁部３ｂは、図８に示すように、楕円形状であって、その外縁から外装筒３ｃが一体に垂下する。
【００３０】
オーバーキャップ３の周壁部３ａの内側には、１条のねじ部Ｓ3が設けられている。また、容器本体１は、その頸筒部１ｄの外周に、２条のねじ部Ｓ4が設けられている。オーバーキャップ３に設けたねじ部Ｓ3は、図７に示すように、頸筒部１ｄに設けたねじ部Ｓ4と互いに取り外し可能に螺合する。これにより、オーバーキャップ３をボトル軸線Ｏ周りに時計回り又は反時計回りに回転させれば、図９に示すように、周壁部３ａと天壁部３ｂとの間に注出栓２の収納空間を形成しつつ、オーバーキャップ３を螺合させることができる。
【００３１】
また、オーバーキャップ３の天壁部３ｂには、周壁部３ａで取り囲まれた領域に、筒状部３ｇが一体に垂下する。筒状部３ｇは、オーバーキャップ３の締め付けにより注出筒２ｃの内周面を密封保持する。これにより、オーバーキャップ３を打栓又は、締め付ければ、注出栓２の注出口Ａ2を密封することができる。
【００３２】
更に、オーバーキャップ３は、周壁部３ａの下端に、径方向内向きに突出する突起３ｐが設けられている。突起３ｐは、図８に示すように、オーバーキャップ３をねじ込む方向（矢印方向）に指向する部分に、平坦面３ｆが形成されている。また突起３ｐは、周壁部３ａに沿って延在する基部３ｄに一体に設けられている。基部３ｄは、連結片３ｅを介して外装筒３ｃに一体に連結されているとともに、オーバーキャップ３の長軸を挟んで対向する位置に配置されている。また、突起３ｐは、図９に示すように、基部３ｄとともに、周壁部３ａの下端に一体に連結されている。
【００３３】
一方、容器本体１の頸筒部１ｄは、肩部１ｃとの間に、ボトル軸線Ｏ周りを周回する段部１ｒ2（１ｄ）を有する。段部１ｒ2には、図５に示すように、胴部１ｂの長軸を挟んで対向する位置にそれぞれ、２つの膨出部１ｐ2，１ｐ3が一体に設けられている。２つの膨出部１ｐ2，１ｐ3は、周方向に間隔ｃ2を置いて配置されている。
【００３４】
膨出部１ｐ2は、オーバーキャップ３をねじ込む方向（矢印方向）に対して対向する部分に、平坦面１ｆ1が形成されている。膨出部１ｐ2は、オーバーキャップ３の締め付けが一定量まで行われると、図９に示すように、その平坦面１ｆ1に、オーバーキャップ３に設けた突起３ｐの平坦面３ｆが接触することで、オーバーキャップ３の締め付けを制限する。このように、突起３ｐ及び膨出部１ｐ2は、互いに接触してオーバーキャップ３の締め付けを制限する締め付け制限手段を構成する。
【００３５】
更に、オーバーキャップ３は、周壁部３ａと筒状部３ｇとの間に、天壁部３ｂから垂下する筒壁部３ｈが一体に設けられている。筒壁部３ｈは、オーバーキャップ３の締め付けが一定量まで行われると、その下端が注出栓２の隔壁部２ｂに接触することで、オーバーキャップ３の締め付けを制限する。このように、隔壁部２ｂ及び筒壁部３ｈも、互いに接触してオーバーキャップ３の締め付けを制限する締め付け制限手段を構成する。
【００３６】
このように、本形態では、容器本体１の頸筒部１ｄとオーバーキャップ３の周壁部３ａとにそれぞれ、互いに取り外し可能に螺合するねじ部Ｓ3，Ｓ4を設けるとともに、互いに接触してオーバーキャップ３の締め付けを制限する締め付け制限手段を設けたことで、オーバーキャップ３の締め込み量が抑えられる。このため、注出栓２の注出筒２ｃがオーバーキャップ３の筒状部３ｇによって必要以上の締め付けられることがないから、注出筒２ｃ又は筒状部３ｇの劣化を抑えることで、オーバーキャップ３を用いた不使用時の密封性を長期に渡って維持することができる。
【００３７】
上述のとおり、本発明によれば、既存の設備を用いて注出栓２を容易に打栓することができるとともに、オーバーキャップ３を用いた不使用時の密封性を長期に渡って維持することができる。
【００３８】
なお、図５に示すように、膨出部１ｐ3は、その径方向長さが膨出部１ｐ2よりも短く設定されている。膨出部１ｐ2には、オーバーキャップ３をねじ込む方向に沿って径方向外向きに案内面１ｆ2が形成されている。オーバーキャップ３に設けた突起３ｐは、案内面１ｆ2に沿って膨出部１ｐ3を乗り越えた後、隙間（間隔）ｃ2に嵌合保持される。この場合、使用者は、オーバーキャップ３の締め付けに限界が来たことを、そのクリック音やクリック感で認識することができる。
【００３９】
また、オーバーキャップ３を頸筒部１ｄに締め付けるにあたっては、本発明に従えば、オーバーキャップ３のねじ部Ｓ3は、多条ねじで構成することができる。或いは、容器本体１の頸筒部１ｄに設けた多条ねじ部Ｓ4を１条ねじで構成することも可能である。
【００４０】
上述したところは、本発明の一形態を示したにすぎず、特許請求の範囲において、種々の変更を加えることができる。例えば、本形態では、容器本体１の胴部１ｂ及びオーバーキャップ３の外装筒３ｃは、その横断面形状を楕円形状に構成したが、これに限定されるものではない。また、容器本体１は、ボトル型容器に替えて、チューブ容器を採用することもできる。
【００４１】
上述した実施形態に関し、本発明はさらに以下の態様を開示する。
【００４２】
本発明は下記＜１＞に記載のオーバーキャップ付き注出容器である。
【００４３】
＜１＞胴部に繋がる頸筒部を有して当該頸筒部よりも小径の口筒部を通して内容物が充填される容器本体と、容器本体の口筒部に着脱可能に固定される周壁部を有して隔壁部に形成された注出口を通して内容物を注出させる注出栓と、容器本体の頸筒部に固定される周壁部を有して天壁部との間に注出栓の収納空間を形成するオーバーキャップとを備えるオーバーキャップ付き注出容器であって、容器本体の口筒部と注出栓の周壁部とにそれぞれ、互いに取り外し可能に螺合する多条ねじ部を設ける一方、容器本体の頸筒部とオーバーキャップの周壁部とにそれぞれ、互いに取り外し可能に螺合するねじ部を設けるとともに、互いに接触してオーバーキャップの締め付けを制限する締め付け制限手段を設けたオーバーキャップ付き注出容器。
【００４４】
本発明は、さらに以下のオーバーキャップ付き注出容器であることが好ましい。
【００４５】
＜２＞多条ねじ部は、注出栓側の条数が容器本体側の条数より多く構成されている、前記＜１＞に記載のオーバーキャップ付き注出容器。
＜３＞オーバーキャップの天壁部に、注出栓の隔壁部に接触してオーバーキャップの締め付けを制限する締め付け制限手段を設けた、前記＜１＞または＜２＞に記載のオーバーキャップ付き注出容器。
＜４＞容器本体の口筒部と注出栓の周壁部とにそれぞれ、多条ねじ部よりも頸筒部側の位置で、互いに取り外し可能に嵌合して注出栓の緩みを防止する緩み防止手段を設けた、前記＜１＞から前記＜３＞のいずれかに記載のオーバーキャップ付き注出容器。
＜５＞容器本体の口筒部と注出栓の周壁部とに設けられている多条ねじ部はそれぞれ、容器軸線に対して斜めに傾斜し、容器軸線周りに間隔を置いて配置される、前記＜１＞から前記＜４＞のいずれかに記載のオーバーキャップ付き注出容器。
＜６＞注出栓の周壁部に設けられている多条ねじ部は、容器軸線周りに、各ねじ部の終端が重なり合うように配置されている、前記＜１＞から前記＜５＞のいずれかに記載のオーバーキャップ付き注出容器。
＜７＞容器本体の口筒部は、頸筒部との間に、容器軸線周りを周回する段部を有し、段部には突起が設けられている、前記＜１＞から前記＜６＞のいずれかに記載のオーバーキャップ付き注出容器。
＜８＞容器本体の口筒部に設けられている突起は、容器軸線周りを周回する環状突起としてなる、前記＜７＞に記載のオーバーキャップ付き注出容器。
＜９＞注出栓の隔壁部には、内筒部が一体に垂下する、前記＜１＞から前記＜８＞のいずれかに記載のオーバーキャップ付き注出容器。
＜１０＞周壁部と内筒部との間には、隔壁部から一体に垂下する環状凸部が設けられている、前記＜９＞に記載のオーバーキャップ付き注出容器。
＜１１＞注出栓は、その周壁部の下端内周に、口筒部に対して注出栓を打栓又は、ねじ込むとき、口筒部の突起を乗り越えることで、互いに取り外し可能に嵌合する、突起を設けている、前記＜１＞から前記＜１０＞のいずれかに記載のオーバーキャップ付き注出容器。
＜１２＞注出栓の周壁部に設けられている突起は、容器軸線周りを周回する環状突起としてなる、前記＜１１＞に記載のオーバーキャップ付き注出容器。
＜１３＞容器本体の口筒部における突起及び注出栓の周壁部における突起がそれぞれ、互いに取り外し可能に嵌合して注出栓の緩みを防止する緩み防止手段を構成する前記＜１１＞または前記＜１２＞に記載のオーバーキャップ付き注出容器。
＜１４＞オーバーキャップの天壁部には、周壁部で取り囲まれた領域に、オーバーキャップの締め付けにより注出筒の内周面を密封保持する筒状部が一体に垂下する、前記＜１＞から前記＜１３＞のいずれかに記載のオーバーキャップ付き注出容器。
＜１５＞オーバーキャップは、周壁部の下端に、径方向内向きに突出する突起が設けられている、前記＜１＞から前記＜１４＞のいずれかに記載のオーバーキャップ付き注出容器。
＜１６＞オーバーキャップの周壁部の下端に設けられている突起は、オーバーキャップをねじ込む方向に指向する部分に、平坦面が形成されている、前記＜１５＞に記載のオーバーキャップ付き注出容器。
＜１７＞オーバーキャップの周壁部の下端に設けられている突起は、周壁部に沿って延在する基部に一体に設けられており、基部は、連結片を介して外装筒に一体に連結されているとともに、オーバーキャップの長軸を挟んで対向する位置に配置されている、前記＜１５＞または前記＜１６＞に記載のオーバーキャップ付き注出容器。
＜１８＞オーバーキャップの周壁部の下端に設けられている突起は、基部とともに、周壁部の下端に一体に連結されている、前記＜１７＞に記載のオーバーキャップ付き注出容器。
＜１９＞容器本体の頸筒部は、肩部との間に、容器軸線周りを周回する段部を有し、段部には、胴部の長軸を挟んで対向する位置にそれぞれ、２つの膨出部が一体に設けられており、２つの膨出部は、周方向に間隔を置いて配置されている、前記＜１＞から前記＜１８＞のいずれかに記載のオーバーキャップ付き注出容器。
＜２０＞２つの膨出部のうち、オーバーキャップをねじ込む方向に近い位置に設けられている膨出部は、その径方向長さがもう一方の膨出部よりも短く設定されている、前記＜１９＞に記載のオーバーキャップ付き注出容器。
＜２１＞２つの膨出部のうち、オーバーキャップをねじ込む方向に近い位置に設けられている膨出部には、オーバーキャップをねじ込む方向に沿って径方向外向きに案内面が形成されている、前記＜１９＞または前記＜２０＞に記載のオーバーキャップ付き注出容器。
＜２２＞２つの膨出部のうち、オーバーキャップをねじ込む方向に遠い位置に設けられている膨出部は、オーバーキャップをねじ込む方向に対して対向する部分に、平坦面が形成されている、前記＜１９＞から前記＜２１＞のいずれかに記載のオーバーキャップ付き注出容器。
＜２３＞オーバーキャップの周壁部の下端に設けられている突起及び、容器本体の頸筒部に設けられている２つの膨出部のうちオーバーキャップをねじ込む方向に遠い位置に設置されている膨出部が、互いに接触してオーバーキャップの締め付けを制限する締め付け制限手段を構成する、前記＜１９＞から前記＜２２＞のいずれかに記載のオーバーキャップ付き注出容器。
＜２４＞オーバーキャップは、周壁部と筒状部との間に、天壁部から垂下する筒壁部が一体に設けられている、前記＜１４＞から前記＜２３＞のいずれかに記載のオーバーキャップ付き注出容器。
＜２５＞注出栓の隔壁部及び、オーバーキャップの天壁部から垂下する筒壁部が、互いに接触してオーバーキャップの締め付けを制限する締め付け制限手段を構成する、前記＜２４＞に記載のオーバーキャップ付き注出容器。
＜２６＞容器本体は楕円形状である、前記＜１＞から前記＜２５＞のいずれかに記載のオーバーキャップ付き注出容器。
＜２７＞オーバーキャップの天壁部は楕円形状である、前記＜１＞から前記＜２６＞のいずれかに記載のオーバーキャップ付き注出容器。
【産業上の利用可能性】
【００４６】
本発明は、胴部に繋がる頸筒部を有して当該頸筒部よりも小径の口筒部を通して内容物が充填される容器本体と、容器本体の口筒部に着脱可能に固定される周壁部を有して隔壁部に形成された注出口を通して内容物を注出させる注出栓と、容器本体の頸筒部に固定される周壁部を有して天壁部との間に注出栓の収納空間を形成するオーバーキャップとを備えるものであれば、様々なオーバーキャップ付き注出容器に適用することができる。
【符号の説明】
【００４７】
１    容器本体
１ｂ  胴部
１ｄ  頸筒部
１ｅ  口筒部
１ｆ1 平坦面
１ｆ2 案内面
１ｐ1 突起（緩み防止手段）
１ｐ2 膨出部（締め付け制限手段）
１ｐ3 膨出部
１ｒ1 口筒部側段部
１ｒ2 頸筒部側段部
２    注出栓
２ａ  周壁部
２ｂ  隔壁部
３    オーバーキャップ
３ａ  周壁部
３ｂ  天壁部
Ａ1   口筒部開口部
Ａ2   注出口
Ｓ1   多条ねじ部（容器本体口筒部）
Ｓ2   多条ねじ部（注出栓）
Ｓ3   多条ねじ部（オーバーキャップ）
Ｓ4   ねじ部（容器本体頸筒部）
【図１】
2014055018.tif 000003
【図２】
2014055018.tif 000004
【図３】
2014055018.tif 000005
【図４】
2014055018.tif 000006
【図５】
2014055018.tif 000007
【図６】
2014055018.tif 000008
【図７】
2014055018.tif 000009
【図８】
2014055018.tif 000010
【図９】
2014055018.tif 000011